(57)【要約】【課題】本発明は、発光制御システムを構成するマスタ装置及びスレーブ装置を開示する。【解決手段】本発明の多様な実施形態に係るマスタ装置は、一つ以上のスレーブ装置を制御するマスタ装置において、通信部、あらかじめ出力された電子コード情報を認識する電子コード認識部、前記認識された電子コード情報に応じてあらかじめ設定され、スレーブ装置が発光される特定の位置を示す発光位置情報を確認する情報確認部、前記一つ以上のスレーブ装置の中のいずれか一つの第１のスレーブ装置に前記確認された発光位置情報を提供する情報提供部及び前記発光位置情報に対応する発光制御信号を前記通信部を介して放送する発光制御部を含むことができる。【選択図】図１
2017157549.tif 000002
【特許請求の範囲】
【請求項１】
一つ以上のスレーブ装置を制御するマスタ装置において、
通信部、
あらかじめ出力された電子コード情報を認識する電子コード認識部、
前記認識された電子コード情報に応じてあらかじめ設定され、スレーブ装置が発光される特定の位置を示す発光位置情報を確認する情報確認部、
前記一つ以上のスレーブ装置の中のいずれか一つの第１のスレーブ装置に前記確認された発光位置情報を提供する情報提供部及び
前記発光位置情報に対応する発光制御信号を前記通信部を介して放送する発光制御部を含む、発光制御システムを構成するマスタ装置。
【請求項２】
前記情報確認部は、前記発光位置情報に応じてあらかじめ設定された方法で前記第１のスレーブを発光させる演出情報をさらに確認し、
前記情報提供部は、前記演出情報を前記第１のスレーブにさらに提供することを特徴とする請求項１に記載の発光制御システムを構成するマスタ装置。
【請求項３】
前記演出情報は、
前記発光制御信号の受信に応じて活性化され、前記第１のスレーブ装置の発光部が一つ以上のあらかじめ定められた区間ごとに区別されて発光するように前記第１のスレーブ装置を制御する情報であることを特徴とする請求項２に記載の発光制御システムを構成するマスタ装置。
【請求項４】
前記発光制御部は、
前記あらかじめ定められた区間で前記第１のスレーブ装置をロックモードで駆動させるロック信号を前記スレーブ装置に送信することを特徴とする請求項３に記載の発光制御システムを構成するマスタ装置。
【請求項５】
前記情報提供部は、あらかじめ設定された条件が満たされた場合、
前記第１のスレーブ装置の発光位置情報、
前記第１のスレーブ装置の演出情報及び
前記第１のスレーブ装置と隣接して位置する第２のスレーブ装置に前記第１のスレーブ装置の発光位置情報及び演出情報を送信するようにする制御信号、を前記第１のスレーブ装置に送信することを特徴とする請求項２に記載の発光制御システムを構成するマスタ装置。
【請求項６】
マスタ装置を介して制御されるスレーブ装置において、
通信部、
少なくとも一つの光源素子を含む発光部、
あらかじめ設定された電子コード情報に対応する発光位置情報を前記マスタ装置から受信する情報受信部及び
前記発光位置情報に当たる位置で、前記マスタ装置で放送される発光制御信号の中の前記発光位置情報に対応する発光制御信号を前記通信部を介して選択的に受信し、受信された発光制御信号に基づいて前記発光部を制御する発光制御部を含む、発光制御システムを構成するスレーブ装置。
【請求項７】
前記情報受信部は、
前記発光位置情報に応じてあらかじめ設定された方法で前記スレーブを発光させる演出情報を前記マスタ装置からさらに受信し、
前記発光制御部は、
前記発光制御信号を受信する場合、前記発光部が一つ以上のあらかじめ定められた区間ごとに区別されて発光するように前記発光部を制御することを特徴とする請求項６に記載の発光制御システムを構成するスレーブ装置。
【請求項８】
前記発光制御部は、
前記マスタ装置からロック信号を受信する場合、前記あらかじめ定められた区間で前記スレーブ装置をロックモードで運用することを特徴とする請求項７に記載の発光制御システムを構成するスレーブ装置。
【請求項９】
前記発光制御部は、
あらかじめ設定された条件が満たされる場合、前記発光位置情報を前記スレーブ装置と隣接して位置する他のスレーブ装置に送信するように前記通信部を制御することを特徴とする請求項７に記載の発光制御システムを構成するスレーブ装置。
【請求項１０】
前記発光制御部は、
前記発光位置情報の受信が完了された場合、あらかじめ設定された色で発光部を発光させることを特徴とする請求項６に記載の発光制御システムを構成するスレーブ装置。
【請求項１１】
前記スレーブ装置は、前記受信された発光制御信号をユーザ端末に送信することにより、前記ユーザ端末と連動して発光パターンを出力したり、前記ユーザ端末を介して入力される制御信号に応じて発光したりすることを特徴とする請求項６に記載の発光制御システムを構成するスレーブ装置。
【請求項１２】
少なくとも一つのサブマスタ装置を介して一つ以上のスレーブ装置を制御するマスタ装置において、
通信部、
あらかじめ出力された電子コード情報を認識する電子コード認識部、
前記認識された電子コード情報に応じてあらかじめ設定され、前記一つ以上のスレーブ装置の中の特定のスレーブ装置が発光される特定の発光位置を示す発光位置情報を確認する情報確認部、
前記特定のスレーブ装置に前記確認された発光位置情報を挿入する情報提供部及び
前記特定のスレーブ装置の特定の発光位置から所定の距離に位置する第１のサブマスタ装置の電波強度を調節することにより、選択的に前記特定のスレーブ装置の発光を制御する発光制御信号を前記通信部を介して前記第１のサブマスタ装置に提供する発光制御部を含む、発光制御システムを構成するマスタ装置。
【請求項１３】
前記発光制御信号は、
前記第１のサブマスタ装置の電波強度値及び
前記第１のサブマスタ装置の電波強度値に応じて設定される第１の制御半径内に前記特定のスレーブ装置が位置する場合、前記第１のサブマスタ装置が特定のスレーブ装置の発光パターンを制御するように設定された第１の発光パターン値を含むことを特徴とする請求項１２に記載の発光制御システムを構成するマスタ装置。
【請求項１４】
前記発光制御信号は、
前記第１のサブマスタ装置からあらかじめ設定された距離だけ離隔された第２のサブマスタ装置の電波強度値及び
前記第２のサブマスタ装置の電波強度値に応じて設定される第２の制御半径内に前記特定のスレーブ装置が位置する場合、前記第２のサブマスタ装置が特定のスレーブ装置の発光パターンを制御するように設定された第２の発光パターン値を含み、
前記第１の制御半径内に位置する前記特定のスレーブ装置が前記第２の制御半径内へ移動する場合、前記第１の発光パターン値に応じて発光する前記特定のスレーブ装置が前記第２の発光パターン値に応じて発光されることを特徴とする請求項１３に記載の発光制御システムを構成するマスタ装置。
【請求項１５】
前記特定のスレーブ装置が前記第１の制御半径内と前記第２の制御範囲内とも位置する場合、前記特定のスレーブ装置は、前記第１の発光パターン値及び前記第２の発光パターン値の平均値で発光されることを特徴とする請求項１４に記載の発光制御システムを構成するマスタ装置。
【請求項１６】
前記記第１の発光パターン値及び前記第２の発光パターン値は、
前記特定のスレーブ装置の発光タイミング値、発光色値及び発光持続時間値の中の少なくとも一つを含むことを特徴とする請求項１４に記載の発光制御システムを構成するマスタ装置。
【請求項１７】
前記通信部は、前記マスタ装置と前記第１のサブマスタ装置を有線で接続することを特徴とする請求項１２に記載の発光制御システムを構成するマスタ装置。
【発明の詳細な説明】
【技術分野】
【０００１】
本発明の多様な実施形態は、発光制御システムを構成するマスタ装置及びスレーブ装置に関するものであって、より具体的には、電子コード情報または電波強度の調整を利用して、複数の発光装置の発光パターンを効率的に制御する技術に関するものである。
【背景技術】
【０００２】
一般的に、照明装置とは、光源からの光を反射、屈折及び透過させて照明の目的を達成する発光装置を意味する。照明装置は、配光に応じて、間接照明装置、半間接照明装置、全反拡散照明装置、半直接照明装置及び直接照明装置などに分類することができる。
【０００３】
技術の進歩により、照明装置は多様な用途に使用されている。一例として、照明装置は、メディアファサード（Ｍｅｄｉａ  ｆａｃａｄｅ）を演出するのに使用される。メディアファサードとは建物の外壁などに照明装置を設置し、メディアの機能を具現することをいう。
【０００４】
他の例として、照明装置は、一定の照度以下の環境で行われる運動競技やコンサートなどで小型の応援ツールとしても使用されている。ところが、このような環境では、複数の照明器具が個別に制御されるため、体系的な照明パターンや形状を生成しにくい側面がある。また、照明装置に配置された光源を使用するだけでは、期待ほどの応援効果を得るのが容易ではない。
【０００５】
したがって、前記のような問題を具体的に解決するために、複数の照明装置を一括して制御することができる方法の導入が求められている。
【０００６】
また、コンサートまたは競技場などで使用される発光方法の応援ツール、もしくは建物などの外壁などの構造では複数の発光装置（例えば、照明装置）を利用して、多様な形態の演出効果を示している。このような多様な目的のために使用される発光装置を制御するために、演出プランナーなどは、マスタ装置のような中央処理装置を介して発光装置を個別に、またはグループ化して制御することにより、多様な発光パターンを演出する。一方、このような発光装置の制御方法は、マスタ装置で無線通信を利用して発光制御信号を複数のスレーブ装置（例えば、発光装置）に送信することにより、発光パターンを演出している方法で主に行われている。
【発明の概要】
【発明が解決しようとする課題】
【０００７】
従来は、照明装置の発光を制御するために、ＲＳＳＩ信号などを利用して、照明装置の位置を計算した。しかし、このような従来の計算方法は、多様な変数によって正確に照明装置の位置を測定しにくいし、不正確であるという問題がある。
【０００８】
また、複数の照明装置を利用して、アニメーションなどのシーンを演出するためには、全ての複数の照明装置にピクセル値と同じデータ値を送信するべきだが、無線信号を介してこれらのデータ値を多くの照明装置に送信することは非常に難しいという問題がある。
【０００９】
また、従来の発光パターンの演出方法は、一つの制御装置（例えば、マスタ装置）で複数の発光装置（例えば、スレーブ装置）を制御しなければならないので、リアルタイムで、または定期的に複数の発光装置をグループ化して発光パターンを演出するのに困難があった。
【００１０】
また、人が所持する形態の発光装置（例えば、発光応援ツール）は、人の動きに応じて、あらかじめ定められた発光パターンの演出が乱れることがあり、このような場合に、マスタ装置でいちいち人の動きを判断して所持した発光装置を制御することは事実上難しいという限界がある。
【００１１】
本発明の多様な実施形態に係る発光制御システムは、前述した問題を解決するために案出されたものであって、照明装置の位置をあらかじめ予測できるように、あらかじめ設定された電子コード情報を利用して、照明装置の発光を制御する発光制御システムを構成するマスタ装置及びスレーブ装置を提供する。
【００１２】
また、本発明の多様な実施形態に係るマスタ装置で少なくとも一つのサブマスタ装置の電波強度を調節することにより、前記サブマスタ装置の周辺のスレーブ装置の発光パターンを制御するための方法を提供する。
【課題を解決するための手段】
【００１３】
本発明の多様な実施形態に係るマスタ装置は、一つ以上のスレーブ装置を制御するマスタ装置として、通信部、あらかじめ出力された電子コード情報を認識する電子コード認識部、前記認識された電子コード情報に応じてあらかじめ設定され、スレーブ装置が発光される特定の位置を示す発光位置情報を確認する情報確認部、前記一つ以上のスレーブ装置の中のいずれか一つの第１のスレーブ装置に前記確認された発光位置情報を提供する情報提供部及び前記発光位置情報に対応する発光制御信号を前記通信部を介して放送する発光制御部を含むことができる。
【００１４】
本発明の多様な実施形態に係るマスタ装置において、前記情報確認部は、前記発光位置情報に応じてあらかじめ設定された方法で前記第１のスレーブを発光させる演出の情報をさらに確認し、前記情報提供部は前記演出情報を前記第１のスレーブにさらに提供することができる。
【００１５】
本発明の多様な実施形態に係る演出情報は、前記発光制御信号の受信に応じて活性化され、前記第１のスレーブ装置の発光部が一つ以上のあらかじめ定められた区間ごとに区別されて発光するように前記第１のスレーブ装置を制御する情報でありえる。
【００１６】
本発明の多様な実施形態に係るマスタ装置において、前記発光制御部は、前記あらかじめ定められた区間で、前記第１のスレーブ装置をロックモードで駆動させるロック信号を前記スレーブ装置に送信することができる。
【００１７】
本発明の多様な実施形態に係るマスタ装置において、前記情報提供部は、あらかじめ設定された条件が満たされた場合に、前記第１のスレーブ装置の発光位置情報、前記第１のスレーブ装置の演出情報、及び前記第１のスレーブ装置と隣接して位置する第２のスレーブ装置に、前記第１のスレーブ装置の発光位置情報及び演出情報を送信するようにする制御信号を前記第１のスレーブ装置に送信することができる。
【００１８】
本発明の多様な実施形態に係るスレーブ装置は、マスタ装置を介して制御されるスレーブ装置として、通信部、少なくとも一つの光源素子を含む発光部、あらかじめ設定された電子コード情報に対応する発光位置情報を前記マスタ装置から受信する情報受信部、及び前記発光位置情報に当たる位置で、前記マスタ装置で放送される発光制御信号の中、前記発光位置情報に対応する発光制御信号を前記通信部を介して選択的に受信し、受信された発光制御信号に基づいて、前記発光部を制御する発光制御部を含むことができる。
【００１９】
本発明の多様な実施形態に係るスレーブ装置において、前記情報受信部は、前記発光位置情報に応じてあらかじめ設定された方法で前記スレーブを発光させる演出情報を前記マスタ装置からさらに受信し、前記発光制御部は、前記発光制御信号を受信する場合、前記発光部が一つ以上のあらかじめ定められた区間ごとに区別されて発光するように前記発光部を制御することができる。
【００２０】
本発明の多様な実施形態に係るスレーブ装置において、前記発光制御部は、前記マスタ装置からロック信号を受信する場合、前記あらかじめ定められた区間で前記スレーブ装置をロックモードで運用することができる。
【００２１】
本発明の多様な実施形態に係るスレーブ装置において、前記発光制御部は、あらかじめ設定された条件が満たされた場合、前記発光位置情報を前記スレーブ装置と隣接して位置する他のスレーブ装置に送信するように前記通信部を制御することができる。
【００２２】
本発明の多様な実施形態に係るスレーブ装置において、前記発光制御部は、前記発光位置情報の受信が完了された場合、あらかじめ設定された色で発光部を発光させることができる。
【００２３】
本発明の多様な実施形態に係るスレーブ装置は、前記受信した発光制御信号をユーザ端末に送信することにより、前記ユーザ端末と連動して発光パターンを出力したり、前記ユーザ端末を介して入力される制御信号に応じて発光したりできる。
【００２４】
本発明の多様な実施形態に係るマスタ装置は、少なくとも一つのサブマスタ装置を介して一つ以上のスレーブ装置を制御するマスタ装置として、通信部、あらかじめ出力された電子コード情報を認識する電子コード認識部、前記認識された電子コード情報に応じてあらかじめ設定され、前記一つ以上のスレーブ装置の中の特定のスレーブ装置が発光される特定の発光位置を示す発光位置情報を確認する情報確認部、前記特定のスレーブ装置に前記確認された発光位置情報を挿入する情報提供部、及び前記特定のスレーブ装置の特定の発光位置から所定の距離に位置する第１のサブマスタ装置の電波強度を調節することにより、選択的に前記特定のスレーブ装置の発光を制御する発光制御信号を前記通信部を介して前記第１のサブマスタ装置に提供する発光制御部を含むことができる。
【００２５】
本発明の多様な実施形態に係る発光制御信号は、前記第１のサブマスタ装置の電波強度値、及び前記第１のサブマスタ装置の電波強度値に応じて設定される第１の制御半径内に前記特定のスレーブ装置が位置する場合、前記第１のサブマスタ装置が特定のスレーブ装置の発光パターンを制御するように設定された第１の発光パターン値を含むことができる。
【００２６】
本発明の多様な実施形態に係る発光制御信号は、前記第１のサブマスタ装置からあらかじめ設定された距離だけ離隔された第２のサブマスタ装置の電波強度値、及び前記第２のサブマスタ装置の電波強度値に応じて設定される第２の制御半径内に前記特定のスレーブ装置が位置する場合、前記第２のサブマスタ装置が特定のスレーブ装置の発光パターンを制御するように設定された第２の発光パターン値を含むことができる。この場合、前記第１の制御半径内に位置する前記特定のスレーブ装置が前記第２の制御半径内に移動する場合、前記第１の発光パターン値に応じて発光する前記特定のスレーブ装置が前記第２の発光パターン値に応じて発光することができる。
【００２７】
本発明の多様な実施形態に係る発光制御信号は、前記特定のスレーブ装置が前記第１の制御半径内と前記第２の制御範囲内とも位置する場合、前記特定のスレーブ装置は前記第１の発光パターン値及び前記第２の発光パターン値の平均値で発光することができる。
【００２８】
本発明の多様な実施形態による前記第１の発光パターンの値及び前記第２の発光パターンの値は、前記特定のスレーブ装置の発光タイミング値、発光色値及び発光持続時間値の中の少なくとも一つを含むことができる。
【００２９】
本発明の多様な実施形態に係る通信部は、前記マスタ装置と前記第１のサブマスタ装置を有線で接続することができる。
【００３０】
本発明の多様な実施形態に係る電波強度の調節を利用した発光制御方法は、マスタ装置で少なくとも一つのサブマスタ装置を介して一つ以上のスレーブ装置を制御する方法として、あらかじめ出力された電子コード情報を認識する段階、前記認識された電子コード情報に応じてあらかじめ設定され、前記一つ以上のスレーブ装置の中の特定のスレーブ装置が発光される特定の発光位置を示す発光位置情報を確認する段階、前記特定のスレーブ装置に前記確認された発光位置情報を挿入する段階及び前記特定のスレーブ装置の特定の発光位置から所定の距離に位置する第１のサブマスタ装置の電波強度を調節することにより、選択的に前記特定のスレーブ装置の発光を制御する発光制御信号を前記第１のサブマスタ装置に提供する段階を含むことができる。
【発明の效果】
【００３１】
本発明でスレーブ（例えば、発光装置または照明装置）のそれぞれについて、チケットなどの電子コード情報に応じてあらかじめ指定された発光位置情報を挿入することにより、多様なパターンの発光演出を制御することができる。
【００３２】
また、発光位置情報に基づいて、複数のスレーブをリアルタイムで、またはグループごとに制御することができ、さらに発光位置情報に対応する演出情報をあらかじめスレーブに保存させることにより、高画質な画像を演出することができる。これにより、運動競技やコンサートなどで、スレーブの多様な発光パターンを生成することができ、多様な発光パターンによる応援の効果を向上させることができる。
【００３３】
また、あらかじめ定められた区間では、スレーブ装置をロックモードで駆動させることにより、発光を利用した演出に汚点が発生することを防止することができる。
【００３４】
また、スレーブに発光位置情報がまだ挿入されていない場合、隣接するスレーブを介して発光位置情報が提供されることにより、ユーザの便宜及び演出作業の能率を向上させることができる。
【００３５】
また、本発明の多様な実施形態に係るマスタ装置において、サブマスタ装置の電波強度を適切に調節することにより、複数のスレーブ装置を効率的にグループ化して制御することができる。
【００３６】
また、本発明の多様な実施形態に係る各サブマスタ装置は、それぞれの電波強度の調節に応じた多様な形態の制御半径を有することにより、サブマスタ装置間の有機的に結合されて動きを持つスレーブ装置を効果的に制御することができる。
【００３７】
本発明で得られる効果は以上で言及した効果に限定されず、言及していないもう一つの効果は、以下の記載から本発明が属する技術分野で通常の知識を有する者に明確に理解することができるだろう。
【図面の簡単な説明】
【００３８】
【図１】本発明の多様な実施形態に係る発光制御システムの構成図である。
【図２】本発明の多様な実施形態に係るマスタ装置の構成図である。
【図３】本発明の多様な実施形態に係るスレーブ装置の構成図である。
【図４】本発明の多様な実施形態に係るマスタ装置でスレーブ装置の発光を制御する動作を示すフローチャートである。
【図５】本発明の多様な実施形態に係るスレーブ装置でマスタ装置の制御下に発光部を運用する動作を示すフローチャートである。
【図６】本発明の多様な実施形態に係るマスタ装置でチケットの電子コード情報をスキャンして、電子コード情報に対応する発光位置情報をスレーブ装置に提供する動作を示す例示図である。
【図７】本発明の多様な実施形態に係るマスタ装置でリアルタイムでスレーブ装置の発光を制御する動作を示す例示図である。
【図８】本発明の多様な実施形態に係るマスタ装置で発光位置情報に応じてあらかじめ設定された演出情報をスレーブ装置に提供する動作を示す例示図である。
【図９】本発明の多様な実施形態に係るスレーブ装置でマスタ装置から提供された演出情報に基づいて発光部を制御する動作を示す例示図である。
【図１０】本発明の多様な実施形態に係るマスタ装置あらかじめ設定された演出情報に応じてスレーブ装置を発光させる動作を示す例示図である。
【図１１】本発明の他の実施形態に係る発光制御システムの構成図である。
【図１２】本発明の多様な実施形態に係るサブマスタ装置の構成図である。
【図１３】本発明の多様な実施形態に係るマスタ装置でサブマスタ装置の電波強度を調節することにより、スレーブ装置の発光を制御する動作を示すフローチャートである。
【図１４】本発明の多様な実施形態に係る発光制御システムでの動作を示す例示図である。
【図１５】本発明の多様な実施形態に係る発光制御システムでスレーブ装置の移動に応じた発光パターンの変化を示す例示図である。
【図１６】本発明の多様な実施形態に係る発光制御システムでスレーブ装置が複数の制御半径内に位置する場合、発光パターンの変化を示す例示図である。
【図１７】本発明の多様な実施形態に係る発光制御システムでマスタ装置とサブマスタ装置のそれぞれが、有線で接続された形態を示す例示図である。
【図１８】本発明の多様な実施形態に係る発光制御システムの運用に応じた演出画面を示す例示図である。
【発明を実施するための形態】
【００３９】
本発明の利点及び特徴、そしてそれらを達成する方法は、詳細に後述されている実施形態を参照すると明確になるであろう。しかし、本発明は、以下で開示される実施形態に限定されるものではなく、異なる多様な形態で具現されるものであり、単に本実施形態は本発明の開示が完全にし、本発明が属する技術分野で通常の知識を持つ者に発明の範疇を完全に知らせるために提供されるものであり、本発明は請求項の範疇によって定義されるだけである。
【００４０】
他の定義がない場合は、本明細書で使用されるすべての用語（技術及び科学的用語を含む）は、本発明が属する技術分野で通常の知識を有する者に共通的に理解することができる意味で使用することができるだろう。また、一般的に使用される辞典に定義されている用語は明白に特別に定義されていない限り、理想的にまたは過度に解釈されない。
【００４１】
明細書に記載される「発光制御信号」は、「第１の発光制御信号」及び「第２の発光制御信号」の中の少なくとも一つを含むことができる。第１の発光制御信号は、マスタ装置１００がサブマスタ装置２００を制御するための信号でありえて、第２の発光制御信号はマスタ装置１００がスレーブ装置３００を制御するための信号でありえる。特別な言及がない場合は、「発光制御信号」は、第１の発光制御信号及び第２の発光制御信号の中のいずれか一つを意味することができ、マスタ装置１００の具体的な動作に応じて意味上区分することができる。
【００４２】
以下、添付図面を参照して、電子コード情報を利用した発光制御システム１０について説明する。
【００４３】
図１は、本発明の多様な実施形態に係る発光制御システム１０の構成図である。
【００４４】
発光制御システム１０は、マスタ装置１００、スレーブ装置２００及びサーバ３００を含むことができる。このような発光制御システム１０は、発光装置または照明装置のようなスレーブ２００の発光を制御することにより、会場などでの応援のための多様な形態の発光パターンを演出することができる。
【００４５】
まず、マスタ装置１００は、独立して、またはサーバ３００と通信して、一つ以上のスレーブ装置２００の発光を制御する機能を行うことができる。限定されない例として、マスタ装置１００は、キオスク端末のような形態で構成することができ、スマートフォン（ｓｍａｒｔｐｈｏｎｅ）、タブレット（ｔａｂｌｅｔ）、デスクトップＰＣ（ｄｅｓｋｔｏｐ  ｐｅｒｓｏｎａｌ  ｃｏｍｐｕｔｅｒ）、ラップトップＰＣ（ｌａｐｔｏｐ  ｐｅｒｓｏｎａｌ  ｃｏｍｐｕｔｅｒ）、ネットブックコンピュータ（ｎｅｔｂｏｏｋ  ｃｏｍｐｕｔｅｒ）の中の一部を含んだり、前記スマートフォン、タブレット、デスクトップＰＣ、ラップトップＰＣまたはネットブックコンピュータの中のいずれか一つであったり、またはそれと連動することができる多様な形態の電子機器でありえる。
【００４６】
スレーブ装置２００は、マスタ装置１００の制御下にリアルタイムで、またはあらかじめ定められた区間ごとに多様な形態の発光パターンを演出する機能を行うことができる。このようなスレーブ装置２００は、少なくとも一部の領域が運動競技やコンサートなどで、多様な形態で発光することができる小型の応援ツールでありえる。
【００４７】
サーバ３００は、マスタ装置１００と通信して、スレーブ２００に提供することができる多様な情報をマスタ装置１００に伝達する機能を行うことができる。たとえば、サーバ３００は、マスタ装置１００から電子コード情報を受信して、電子コード情報と対応される発光位置情報及び演出情報の中の少なくとも一つをマスタ装置１００に提供することができる。
【００４８】
前記マスタ装置１００、スレーブ装置２００及びサーバ３００の相互間は、さまざまな方法で通信することができる。限定されない例として、マスタ装置１００とスレーブ装置２００は、ＲＦ通信または電子タグのような無線通信で接続することができ、マスタ装置１００とサーバ３００は通信ネットワーク（ｔｅｌｅｃｏｍｍｕｎｉｃａｔｉｏｎｓ  ｎｅｔｗｏｒｋ）で接続することができるが、これに限定されるものではない。
【００４９】
図２は、本発明の多様な実施形態に係るマスタ装置１００の構成図である。
【００５０】
マスタ装置１００は、通信部１１０、電子コード認識部１２０、保存部１３０、情報確認部１４０、情報提供部１５０、発光制御部１６０及び制御部１７０を含むことができる。多様な実施形態によれば、マスタ装置１００は、図２の構成の一部を省略したり、追加の構成（例えば、入力モジュール、表示モジュール、電源モジュール、オーディオモジュールなど）をさらに含んだりできる。
【００５１】
通信部１１０は、マスタ装置１００とスレーブ装置２００との間、またはマスタ装置１００とサーバ３００との間の通信を接続することができる。このような通信部１１０は、例えば、有線通信モジュール（例えば、端子、コネクタモジュール）及び無線通信モジュール（例えば、ＲＦ送信／受信機、ジグビー、ブルートゥース、ＷＩＦＩモジュールなど）の中の少なくとも一つを含むことができる。
【００５２】
電子コード認識部１２０は、公演チケットまたはコンサートチケットなどに印刷された電子コードを受信する機能を行うことができる。限定されない実施形態によると、電子コードは、バーコードまたはＱＲコードなどのようにチケットなどに印刷された情報をさまざまな電子機器を介して認識することができるコードでありえるが、これに限定されるものではない。電子コード認識部１２０は、電子コードをスキャンして電子コード情報を収集することができる光学スキャナまたはＱＲコードリーダーなどでありえるが、特定の形態に限定されるものではない。図２に、電子コード認識部１２０は、マスタ装置１００の内部に具現される形態で示されているが、多様な実施形態によると、電子コード認識部１２０はマスタ装置１００と分離された形態も具現可能である。この場合、マスタ装置１００は前記電子コード認識部１２０から電子コード情報を有線または無線で受信することができる。
【００５３】
保存部１３０は、制御部１７０、マスタ装置１００または発光制御システム１０の他の構成要素から受信及び生成されたデータを保存することができる。保存部１３０は、例えば、メモリ（ｍｅｍｏｒｙ）、キャッシュ（ｃａｓｈ）、バッファ（ｂｕｆｆｅｒ）などを含むことができる。
【００５４】
多様な実施形態によれば、保存部１３０は、チケットから受信された電子コード情報、前記電子コード情報に応じてあらかじめ設定された発光位置情報及び前記発光位置に対応する演出情報を保存することができる。このような電子コード情報、発光位置情報及び演出情報は、相互に対応するマッピングテーブルの形態で具現されることができるが、これに限定されるものではない。
【００５５】
いくつかの実施形態によれば、チケットには、当該チケットを購入した人の座席が会場のどの位置であるかをマスタ装置１００またはサーバ３００で確認できる電子コードが印刷されることができる。さらに、チケットには、当該チケットの購入者が座席の位置を認識することができるように形成された日本語、英語、またはアラビア数字などの座席情報が追加印刷することができる。
【００５６】
いくつかの実施形態によれば、発光位置情報は、マスタ装置１００またはサーバ３００で公演などの演出のために、複数のスレーブ装置２００を識別したり、グループ化したりするためにあらかじめ設定された情報でありえる。このような発光位置情報は、人が認識することができる座席情報と同じであったり前記座席情報に追加の識別情報が付加されることにより設定されることができ、発光制御システム１０の管理者または公演ポリシーによってあらかじめ設定されたりリアルタイムに設定したりできる。
【００５７】
いくつかの実施形態によれば、演出情報は、複数のスレーブ装置２００を介して、比較的高画質な発光パターン（例えば、イメージなどで表示される画面など）を演出しようとする場合、マスタ装置１００でスレーブ装置２００にあらかじめ保存（例えば、挿入）される情報でありえる。一般的に、無線通信によって同時に送信することができるデータは限られているので、高画質な発光パターンを演出しようとする場合には、ピクセル情報のような演出情報をスレーブ装置２００にあらかじめ提供するべきである。したがって、マスタ装置１００は、発光位置情報に対応する演出情報をスレーブ装置２００にあらかじめ提供することができる。
【００５８】
情報確認部１４０は、電子コード認識部１２０から収集された電子コード情報を受けて、電子コード情報に対応する発光位置情報を保存部１３０またはサーバ３００で確認することができる。限定されない実施形態として、情報確認部１４０は、電子コード認識部１２０から収集された電子コード情報を通信部１１０を介してサーバ３００に送信し、前記電子コード情報に対応する発光位置情報をサーバ３００で確認することもできる。そして、情報確認部１４０は確認された発光位置情報を情報提供部１５０に伝達することができる。
【００５９】
情報提供部１５０は、情報確認部１４０で確認された発光位置情報及び演出情報の中の少なくとも一つをスレーブ装置２００に提供（例えば、挿入）することができる。このような情報提供部１５０は、ＲＦモジュールのような通信部１１０を介してスレーブ装置２００に発光位置情報または演出情報を送信することができる。
【００６０】
発光制御部１６０は発光位置情報に対応する発光制御信号を無線で放送（ｂｒｏａｄｃａｓｔｉｎｇ）することができる。例えば、発光制御部１６０は複数のスレーブ装置２００に発光制御信号をブロードキャストすることができ、各スレーブ装置２００は放送される発光制御信号の中、自分の発光位置情報に対応する信号を選択的に受信することができる。
【００６１】
制御部１７０は、マスタ装置１００の電源制御などのような全般的な動作及びマスタ装置１００の内部構成との間の信号の流れを制御し、データを処理するデータ処理機能を行うことができる。このような制御部１７０は少なくとも一つのプロセッサを含むことができる。
【００６２】
前述した情報確認部１４０、情報提供部１５０及び発光制御部１６０は、制御部１７０の少なくとも一部の機能を制御部１７０の一般的な機能と区別するために別々に図示した機能的な構成でありえる。図２で情報確認部１４０、情報提供部１５０及び発光制御部１６０は制御部１７０とは別の構成で示されているが、制御部１７０と一つのモジュールとして構成することもできる。
【００６３】
図３は本発明の多様な実施形態に係るスレーブ装置２００の構成図である。
【００６４】
スレーブ装置２００は、通信部２１０、発光部２２０、保存部２３０、情報受信部２４０、発光制御部２５０及び制御部２６０を含むことができる。多様な実施形態によれば、スレーブ装置２００は、図３の構成の一部を省略したり、追加の構成（例えば、入力モジュール、表示モジュール、電源モジュール、オーディオモジュールなど）をさらに含んだりできる。
【００６５】
通信部２１０は、マスタ装置１００とスレーブ装置２００との間の通信を接続することができる。このような通信部２１０は、例えば、有線通信モジュール（例えば、端子、コネクタモジュール）及び無線通信モジュール（例えば、ＲＦ送信／受信機、ジグビー、ブルートゥース、ＷＩＦＩモジュールなど）の中の少なくとも一つを含むことができる。
【００６６】
多様な実施形態によれば、スレーブ２００の通信部２１０は、ジグビーモジュールまたはブルートゥースモジュールを利用して、マスタ装置１００（例えば、スマートフォン）から発光位置情報及び前記発光位置に対応する演出情報を受信することができる。
【００６７】
発光部２２０は一つ以上の光源素子を含むことができ、前記光源としては発光ダイオード（Ｌｉｇｈｔ  Ｅｍｉｔｔｉｎｇ  Ｄｉｏｄｅ、ＬＥＤ）を例に挙げることができる。また、発光部２２０は異なる色のＬＥＤを含むことができ、例えば、赤色ＬＥＤ、緑色ＬＥＤ、青色ＬＥＤ及び白色ＬＥＤの中の少なくとも一つを含むことができる。
【００６８】
これらのＬＥＤでそれぞれ放出される光を混合すると、広い範囲の色を作り出すことができ、前記混合された色は各ＬＥＤから放出される光の強度の比に基づいて決定されるのに、各ＬＥＤから放出される光の強度は各ＬＥＤの駆動電流に比例することができる。
【００６９】
すなわち、各ＬＥＤの駆動電流を制御することにより、発光部２２０で出力される光の色を制御することができ、複数のＬＥＤはドット形態に配列されることができ、これらを選択的に点灯させることにより、特定の文句（テキスト）やイメージもしくは映像を表示することもできる。
【００７０】
上記では、発光部２２０の光源としてＬＥＤを例に挙げて説明したが、光源の種類がＬＥＤに限定されるものではない。他の実施形態によれば、光源としては有機発光ダイオード（Ｏｒｇａｎｉｃ  Ｌｉｇｈｔ  Ｅｍｉｔｔｉｎｇ  Ｄｉｏｄｅ、ＯＬＥＤ）が使用されることもできる。
【００７１】
保存部２３０は、制御部２６０、スレーブ装置２００または発光制御システム１０の他の構成要素から受信及び生成されたデータを保存することができる。保存部１３０は、例えば、メモリ（ｍｅｍｏｒｙ）、キャッシュ（ｃａｓｈ）、バッファ（ｂｕｆｆｅｒ）などを含むことができる。
【００７２】
多様な実施形態によれば、保存部２３０は電子コード情報に応じてあらかじめ設定された発光位置情報及び前記発光位置に対応する演出情報を含むことができる。また、保存部２６０は、発光制御部２５０または制御部２６０の呼び出し時、保存された発光位置情報または演出情報を発光制御部２５０または制御部２６０に提供することができる。
【００７３】
情報受信部２４０は、通信部２１０を介してマスタ装置１００から発光位置情報または演出情報を受信することができる。例えば、情報受信部２４０は、ＲＦ通信を介して、マスタ装置１００から発光位置情報及び演出情報の中の少なくとも一つを受信することができる。
【００７４】
発光制御部２５０は、マスタ装置１００で放送される発光制御信号の中、保存部２３０の発光位置情報に対応する信号を選択的に受信し、受信された発光制御信号に基づいて発光部２２０を制御することができる。多様な実施形態によれば、発光制御部２５０はジグビーモジュールを介してマスタ装置１００から演出情報を受信することもできる。
【００７５】
制御部２６０は、スレーブ装置２００の電源供給制御などのような全般的な動作及びスレーブ装置２００の内部構成との間の信号の流れを制御し、データを処理するデータ処理機能を行うことができる。このような制御部２６０は少なくとも一つのプロセッサを含むことができる。
【００７６】
前述した情報受信部２４０及び発光制御部２５０は、制御部２６０の少なくとも一部の機能を制御部２６０の一般的な機能と区別するために別々に図示した機能的な構成でありえる。図２で情報受信部２４０及び発光制御部２５０は、制御部２６０とは別の構成で示されているが、制御部２６０と一つのモジュールとして構成することもできる。
【００７７】
図示されていないが、スレーブ装置２００は、ユーザ端末（例えば、スマートフォン、図示せず）と通信して、発光関連情報をユーザ端末に送信することができる。発光関連情報は、例えば、発光パターン、演出情報、または発光制御信号の中の少なくとも一つを含むことができる。ユーザ端末は、このような発光関連情報を受信することにより、応援ツール（例えば、スレーブ装置２００）と連動して発光することができる。このため、ユーザ端末は、ディスプレイ装置（例えば、タッチスクリーンなど）を介してスレーブ装置２００と同じ発光パターン、類似な発光パターンまたはスレーブ装置２００の発光パターンと対応されてあらかじめ保存された他の発光パターンを出力することができ、これを具現するためのアプリケーションがインストールされることができる。いくつかの実施形態によれば、スレーブ装置２００は、ユーザ端末とブルートゥース方法で通信することができ、ユーザはユーザ端末を介して直接スレーブ装置２００の発光パターンを制御することもできる。
【００７８】
図４は、本発明の多様な実施形態に係るマスタ装置１００でスレーブ装置２００の発光を制御する動作を示すフローチャートである。
【００７９】
まず、Ｓ４１０段階で、マスタ装置１００は、観客のチケットに印刷された電子コードをスキャンして電子コード情報を認識することができる。たとえば、マスタ装置１００のユーザ（例えば、管理者）は、光学スキャナのような電子コード認識部１２０を利用して、チケットの印刷された電子コードをスキャンすることにより、電子コード情報を抽出することができる。
【００８０】
次に、Ｓ４３０段階で、マスタ装置１００は電子コード情報に応じた発光位置情報を確認することができる。たとえば、マスタ装置１００は、保存部１３０またはサーバ３００で、電子コード情報にマッピングされる発光位置情報を確認することができる。
【００８１】
次に、Ｓ４５０段階で、マスタ装置１００は確認された発光位置情報をスレーブ装置２００に提供（例えば、挿入）することができる。たとえば、マスタ装置１００の管理者は、前記電子コード情報の確認及び発光位置情報の提供過程を経た後、当該チケットを取得した観客に、前記発光位置情報が挿入されたスレーブ装置２００を提供することができる。そして、観客はチケットの座席情報により会場で指定された座席を確認して、当該座席に着席したり位置したりできる。
【００８２】
次に、Ｓ４７０段階で、マスタ装置１００は、発光制御信号を放送することができる。たとえば、マスタ装置１００は、公演の特定のシナリオ、またはリアルタイム制御による発光制御信号を複数のスレーブ装置２００に送出することができる。この場合、マスタ装置１００は同一の発光制御信号を持続的にまたは周期的に不特定のスレーブ装置２００に放送したり送出したりできる。
【００８３】
図５は、本発明の多様な実施形態に係るスレーブ装置２００において、マスタ装置１００の制御下に発光部２２０を運用する動作を示すフローチャートである。
【００８４】
先に、Ｓ５１０段階で、スレーブ装置２００は、マスタ装置１００からの発光位置情報を受信することができ、受信された発光位置情報を保存部２３０に保存することができる。
【００８５】
次に、Ｓ５３０段階で、スレーブ装置２００は、マスタ装置１００から放送される発光制御信号の中、保存部２３０に保存された発光位置情報に対応する信号を選択的に受信することができる。そして、スレーブ装置２００は、受信された発光制御信号に基づいて発光部２２０を制御して、多様な発光パターンを出力することができる。
【００８６】
図６は、本発明の多様な実施形態に係るマスタ装置１００でチケットの電子コード情報をスキャンして、電子コード情報に対応する発光位置情報をスレーブ装置２００に提供する動作を示す例示図である。
【００８７】
図示されるように、マスタ装置１００は、電子コード認識部１２０を介して、観客が所持したチケット６０１の電子コード６０２をスキャンすることにより、電子コード情報を収集することができる。また、マスタ装置１００と前記電子コード認識部１２０が分離されて構成された場合、マスタ装置１００は、電子コード認識部１２０で収集された電子コード情報をキオスク端末のような中間媒体を介して受信することもでき、ＵＳＢのような物理的メディアまたはネットワークを介して前記電子コード情報を受信することもできる。
【００８８】
マスタ装置１００は、収集された電子コード情報に対応する発光位置情報を保存部１３０またはサーバ３００のＤＢ６０３で確認することができ、確認された発光位置情報をスレーブ装置２００に提供することができる。この場合、マスタ装置１００は、ＲＦタグ装置のような情報提供部１５０を介してスレーブ装置２００をタギングすることにより、発光位置情報をスレーブ装置２００に挿入することができる。
【００８９】
限定されない実施形態によれば、スレーブ装置２００は、前記発光位置情報が受信される場合、あらかじめ設定された色で発光部２２０を発光させることができる。これにより、発光制御システム１０またはマスタ装置１００の管理者が正常にスレーブ装置２００に情報を挿入したかを確認することができる。
【００９０】
図７は、本発明の多様な実施形態に係るマスタ装置１００でリアルタイムにスレーブ装置ら２００の発光を制御する動作を示す例示図である。図７の例では、スレーブ装置２００に発光位置情報が挿入され、マスタ装置１００でリアルタイムにスレーブ装置ら２００を制御する動作を示す。
【００９１】
図７を参照すると、複数のスレーブ装置２００＿１乃至２００＿ｎが位置する観客席７００及びマスタ装置１００が示されている。これらの観客席７００には、Ａ０からＪ９までのグループで区別されてあり、一つのグループ（例えば、Ａ０）には、それぞれの座席に位置する観客のスレーブ装置２００＿１乃至２００＿１２が含まれることができる。たとえば、Ａ０グループには合計１２個の座席が含まれることができ、Ａ０グループの中で一番目の座席に位置する第１のスレーブ装置２００＿１の発光位置情報は「Ａ００１」にあらかじめ設定されることができる。同様に、Ａ０グループの中で二番目の座席に位置する第２のスレーブ装置２００＿２の発光位置情報は、「Ａ００２」とあらかじめ設定することができる。しかし、本発明の多様な実施形態では、このようなグループ分類方法または各グループで分類されるスレーブ装置２００の個数を特定の方法または特定の個数に限定されるものではない。
【００９２】
公演の開始後、または公演中に、マスタ装置１００は複数のスレーブ装置２００＿１乃至２００＿ｎに発光制御信号７０１を放送することができる。このような発光制御信号７０１は、例えば、示されるように、複数のスレーブ装置によって全体的に「２」という数字が出力されるように演出する信号でありえる。具体的には、Ａ０グループのスレーブ装置２００＿１乃至２００＿１２は、放送される発光制御信号７０１の中のＡ０グループの発光位置情報に当たる情報（例えば、青色のＬＥＤ発光信号）を受信することにより青色の光源を出力することができ、Ｂ２グループのスレーブ装置は放送される発光制御信号７０１の中のＢ２グループの発光位置情報に当たる情報（例えば、赤色のＬＥＤ発光信号）を受信することにより赤色の光源を出力することができる。
【００９３】
図示されていないが、このようなリアルタイム制御によって演出される発光形態乃至発光パターンは、図７のようなドット方法に加えて、カラーブック方法でも制御することができる。例えば、図７に示された観客席７００がより大きい場合、マスタ装置１００は各グループに含まれるスレーブ装置２００に１次的にグループ識別番号を送信してグループ化した後、各グループで表現しようとする色などの発光制御信号を２次的に放送することができる。これにより、グループ化の方法で演出パターンのアウトラインを決定し、当該グループごとに発光パターンをリアルタイムで変更することにより、多様な演出効果を出すことができる。しかし、本発明の多様な実施形態に係る演出方法がこのようなドット方法、またはカラーブック方法に制限するものではない。
【００９４】
図７でマスタ装置１００の放送する発光制御信号は多様な形態のデータを有することができる。たとえば、データはコマンド、シナリオ及び各グループごとに演出する発光パターン（例えば、発光の有無、発光色、発光時間など）を含むことができる。マスタ装置１００の管理者は、多様な方法を利用して、リアルタイムで制御しようとする演出パターンをマスタ装置１００に入力することができ、マスタ装置１００は入力された演出パターンが出力されるように、発光制御信号７０１を放送することができる。
【００９５】
上記のように、それぞれのスレーブ装置２００について、チケットなどの電子コード情報に応じてあらかじめ指定された発光位置情報を挿入することにより、会場で使用することができる多様な発光パターンを効果的に演出することができる。
【００９６】
図８は、本発明の多様な実施形態に係るマスタ装置１００で発光位置情報に応じてあらかじめ設定された演出情報をスレーブ装置２００に提供する動作を示す例示図である。図８での動作は図４のＳ４５０段階の例示でありえる。
【００９７】
多様な実施形態によれば、Ｓ８１０段階で、マスタ装置１００は発光位置情報に応じた演出情報を確認することができる。たとえば、マスタ装置１００は、電子コード情報に対応する発光位置情報を確認する場合、前記発光位置情報に対応する演出情報を追加にまたは同時に確認することができる。このような演出情報は、高画質な演出のために、スレーブ装置２００にあらかじめ提供されるデータであり、スレーブ装置２００の発光部２２０が一つ以上のあらかじめ定められた区間ごとに区別されて発光するようにスレーブ装置２００を制御する情報でありえる。
【００９８】
次に、Ｓ８３０段階で、マスタ装置１００は、スレーブ装置２００に発光位置情報及び演出情報を提供することができる。この場合、発光位置情報及び演出情報は一つのデータ形態で送信されることができるが、これに限定されるものではない。
【００９９】
いくつかの実施形態によれば、マスタ装置１００は、あらかじめ定められた区間でスレーブ装置２００をロックモードで駆動させるロック信号をスレーブ装置２００に送信することができる。限定されない例として、ロックモードはスレーブ装置２００の発光部または電源が操作されることができないように運用される状態でありえる。これにより、あらかじめ定められたシナリオに応じた発光演出の途中に、一部のスレーブ装置２００の操作に応じて、意図しないノイズ発光パターンの出力を防止することができる。
【０１００】
追加の実施形態によれば、マスタ装置１００は、あらかじめ設定された条件が満たされた場合、スレーブ装置（例えば、第１のスレーブ装置）の発光位置情報及び演出情報を前記スレーブ装置２００と隣接する他のスレーブ装置（例えば、第２のスレーブ装置）に伝達するように制御することができる。
【０１０１】
多様な実施形態によれば、あらかじめ設定された条件として第１の条件は、第２のスレーブ装置に発光位置情報が含まれていない場合でありえる。たとえば、マスタ装置１００の管理者がチケットから電子コード情報をスキャンしたが、まだスレーブ装置（例えば、第２のスレーブ装置）に前記電子コード情報に当たる発光位置情報を挿入していない場合が発生することができる。それでは、第２のスレーブ装置は、マスタ装置１００で発光制御信号が放送される場合、放送される発光制御信号の中、第２のスレーブ装置に含まれた発光位置情報と対応する信号を認識することができないという応答信号をマスタ装置１００に送信することができる。
【０１０２】
あらかじめ設定された条件として第２の条件は、前記第２のスレーブ装置の演出情報が前記第２のスレーブ装置と隣接する領域に位置する第１のスレーブ装置の演出情報と同じ演出情報であると設定することができる。もし、第２のスレーブ装置に送信される演出情報が第１のスレーブ装置の演出情報と異なると、特定の発光パターンを演出時に全体的にノイズが発生することができる。
【０１０３】
したがって、前記第１の条件が満たされた場合、第２のスレーブ装置は、周辺に位置するスレーブ装置を検索し、検索されたスレーブ装置の中の少なくとも一つの発光位置情報を収集することができる。第２のスレーブ装置は収集された発光位置情報をマスタ装置１００に送信することができ、マスタ装置１００は受信された発光位置情報に基づいて保存部１３０またはサーバ３００で、当該の発光位置情報に対応する演出情報が前記第２のスレーブ装置に提供される演出情報と同じかどうかを確認することができる。等しい場合にはマスタ装置１００は確認されたスレーブ装置（例えば、第１のスレーブ装置）として前記第１のスレーブ装置の発光位置情報及び演出情報を前記第２のスレーブ装置に送信するように制御する信号を放送することができる。それでは、第１のスレーブ装置は第１のスレーブ装置の発光位置情報及び演出情報を第２のスレーブ装置に送信することができる。
【０１０４】
これにより、公演開始後にもスレーブ装置２００に演出に必要な情報を間接的に提供することで、よりスムーズで計画された発光パターンを演出することができる。
【０１０５】
図９は、本発明の多様な実施形態に係るスレーブ装置２００で、マスタ装置１００から提供された演出情報に基づいて発光部２２０を制御する動作を示す例示図である。図９の動作の中、図５の動作と重複する内容は省略することができる。
【０１０６】
多様な実施形態によれば、Ｓ９１０段階で、スレーブ装置２００は発光位置情報及び演出情報をマスタ装置１００から受信することができる。この場合、スレーブ装置２００は受信された発光位置情報及び演出情報を保存部２３０に保存することができる。
【０１０７】
次に、Ｓ９３０段階で、スレーブ装置２００はマスタ装置１００から放送される発光制御信号を発光位置情報に基づいて選択的に受信することができる。
【０１０８】
多様な実施形態によれば、Ｓ９５０段階で、スレーブ装置２００は受信された発光制御信号に基づいてあらかじめ定められた区間ごとに発光部を区別して発光することができる。
【０１０９】
例えば、スレーブ装置２００は、第１の区間（例えば、第１の時間）では、第１の演出情報によって発光部２２０を運用して、第２の区間（例えば、第２の時間）では、第２の演出情報によって発光部２２０を運用することができる。スレーブ装置２００は、区間ごとに定められた演出情報によって自動的に発光部２２０を区別して運用したり、マスタ装置１００で放送される各区間ごとに活性化信号（例えば、フラグ）を選択的に受信することにより発光部２２０を区別して運用したりできる。
【０１１０】
図１０は、本発明の多様な実施形態に係るマスタ装置１００であらかじめ設定された演出情報に応じてスレーブ装置２００を発光させる動作を示す例示図である。図１０に図示された内容の中、図７と重複する内容は省略することができる。
【０１１１】
図１０で図示される観客席１０００には、図７とは異なり、比較的高画質な発光パターンが演出される。このため、各スレーブ装置２００は発光位置情報及び演出情報をあらかじめ保存することができる。そして、各スレーブ装置２００は、あらかじめ設定したシナリオの中にいかなるシナリオを演出するかについての情報、ディソルブ技法またはフェード技法のような画像処理機能を選択することができる情報または発光パターンの持続時間などを設定することができる機能に対する情報が含まれることができる。
【０１１２】
多様な実施形態によれば、スレーブ装置２００は、データをあらかじめ保存することができ、マスタ装置１００で放送される発光制御信号（例えば、フラグ信号）に応答して、あらかじめ指定された発光パターン（例えば、特定のピクセルデータ）を演出することができる。このように、スレーブ装置２００にあらかじめデータを保存することによって、高画質な発光パターンを迅速かつ正確に演出することができるという効果がある。
【０１１３】
また、高画質なシーンを演出することにより、運動競技やコンサートなどで応援ツール（スレーブ）の多様な発光パターンを生成することができ、多様な発光パターンによる応援の効果を向上させることができる。
【０１１４】
以上では、電子コード情報を利用した発光制御システム１０の機能について記述した。以下、電波強度の調節を利用した発光制御システム１０の機能について記述するようにする。ただし、図１乃至図１０の発光制御システム１０と、図１１乃至図１８の発光制御システム１０が独立して運用されるものに限定せず、図１乃至図１０の発光制御システム１０と、図１１乃至図１８の発光制御システム１０は、相互に構成と機能をさらに含んだり、一部の構成と機能が省略される形態で具現したりできる。
【０１１５】
図１１は、本発明の他の実施形態に係る発光制御システム１０の構成図である。図１１の発光制御システム１０では、図１の発光制御システム１０と区別される機能を中心に記述するようにする。したがって、図１１の構成の中、図１の発光制御システム１０と重複する内容については省略したり簡単に記載したりする。
【０１１６】
発光制御システム１０は、マスタ装置１００、一つ以上のサブマスタ装置４００及び一つ以上のスレーブ装置２００を含むことができる。このような発光制御システム１０はマスタ装置１００でサブマスタ装置４００の電波強度を調節することにより、スレーブ装置２００の発光パターンを制御することができる。
【０１１７】
図１に示されていないが、発光制御システム１０は外部装置（例えば、サーバ３００）をさらに含むことができる。これにより、発光制御システム１０の少なくとも一部の構成（たとえば、マスタ装置１００）は、前記外部装置と通信して発光パターンを演出するのに必要な情報を送信及び受信することができる。
【０１１８】
多様な実施形態によれば、マスタ装置１００は、サブマスタ装置４００を介してスレーブ装置２００の発光を制御する機能を行うことができる。
【０１１９】
サブマスタ装置４００は、マスタ装置１００の制御下にリアルタイムで、周期的に、またはあらかじめ定められた区間ごとに電波強度を調節することにより、スレーブ装置２００の発光を制御することができる。限定されない例として、サブマスタ装置４００は所定の位置で固定された形態で構成される電子機器でありえる。
【０１２０】
多様な実施形態によれば、スレーブ装置２００は、マスタ装置１００またはサブマスタ装置４００の制御下にリアルタイムで、周期的に、またはあらかじめ定められた区間ごとに多様な形態の発光パターンを演出する機能を行うことができる。
【０１２１】
前記マスタ装置１００、サブマスタ装置４００、スレーブ装置２００の相互間は、さまざまな方法により通信することができる。限定されない例として、マスタ装置１００とスレーブ装置２００は、ＲＦ通信または電子タグのような無線通信で接続することができ、マスタ装置１００とサブマスタ装置４００との間、またはサブマスタ装置４００とスレーブ装置３００との間は、通信ネットワーク（ｔｅｌｅｃｏｍｍｕｎｉｃａｔｉｏｎｓ  ｎｅｔｗｏｒｋ）に接続することができるが、これに限定されるものではない。例えば、後述する実施形態では、マスタ装置１００とサブマスタ装置４００は有線方法により通信することができる。
【０１２２】
多様な実施形態によれば、マスタ装置１００の通信部１１０は、マスタ装置１００とスレーブ装置２００との間、マスタ装置１００とサーバ３００との間、またはマスタ装置１００とサブマスタ装置４００との間の通信を接続することができる。
【０１２３】
また、マスタ装置１００の保存部１３０に保存される発光位置情報は、マスタ装置１００またはサブマスタ装置４００での公演などの演出のために、複数のスレーブ装置２００を識別したりグループ化したりするために、あらかじめ設定された情報でありえる。
【０１２４】
また、マスタ装置１００の発光制御部１６０は、一つ以上のサブマスタ装置４００または一つ以上のスレーブ装置２００に発光制御信号を送信することができる。
【０１２５】
多様な実施形態によれば、マスタ装置１００の発光制御部１６０は、スレーブ装置２００の発光位置情報を確認することができ、確認されたスレーブ装置２００の発光パターンを制御するために、サブマスタ装置４００のアンテナモジュール２１５の電波強度を制御する第１の発光制御信号をブロードキャストしたり、サブマスタ装置４００に送信したりできる。このような第１の発光制御信号は、マスタ装置１００がサブマスタ装置４００を制御するための信号でありえて、サブマスタ装置４００が選択的に前記第１の発光制御信号を受信することができるように、各サブマスタ装置４００に当たるＩＤ情報を含むことができる。
【０１２６】
多様な実施形態によれば、第１の発光制御信号は、サブマスタ装置４００の電波強度値及び発光パターン値を含むことができる。電波強度値はサブマスタ装置４００の特定の電波強度を示す数値でありえて、この電波強度値に応じてサブマスタ装置４００を原点とし所定の半径を有する制御半径が設定されることができる。また、発光パターン値は、前記制御半径内に位置するスレーブ装置２００の発光が始まる発光タイミング、発光色、発光持続時間を制御する特定の数値でありえる。例えば、発光パターン値は、発光タイミング値、発光色値または発光持続時間でありえる。
【０１２７】
前記のような第１の発光制御信号の実施形態の具体的な例示は、図１４乃至図１７で具体的に後述する。
【０１２８】
追加の実施形態によれば、発光制御部１６０は、スレーブ装置２００を直接制御するために、各スレーブ装置２００の発光位置情報に対応する第２の発光制御信号を無線で放送（ｂｒｏａｄｃａｓｔｉｎｇ）することができる。例えば、発光制御部１６０は複数のスレーブ装置２００に第２の発光制御信号を放送することができ、各スレーブ装置２００は放送される第２発光制御信号の中、自分の発光位置情報に対応する信号を選択的に受信することができる。
【０１２９】
図１１の実施形態に係るスレーブ装置２００の通信部２１０は、スレーブ装置２００とマスタ装置１００との間、またはスレーブ装置２００とサブマスタ装置４００との間の通信を接続することができる。
【０１３０】
図１１のスレーブ装置２００の発光制御部２５０は、サブマスタ装置４００で放送されたり、サブマスタ装置４００から送信されたりする発光パターン情報を受信することができ、受信された発光パターン情報に当たる形態で発光部２２０を制御することができる。また、発光制御部２５０はマスタ装置１００で放送される発光制御信号（例えば、第２の発光制御信号）の中、保存部２３０の発光位置情報に対応する信号を選択的に受信し、受信した発光制御信号に基づいて発光部２２０を制御することができる。
【０１３１】
図１２は、本発明の多様な実施形態に係るサブマスタ装置４００の構成図である。
【０１３２】
サブマスタ装置４００は、通信部４１０、制御部４２０、保存部４３０及び発光制御部４４０を含むことができる。多様な実施形態によれば、サブマスタ装置４００は、図１２の構成の一部を省略したり、追加の構成（例えば、入力モジュール、表示モジュール、電源モジュール、オーディオモジュールなど）をさらに含んだりできる。
【０１３３】
まず、通信部４１０は、サブマスタ装置４００とマスタ装置１００との間、またはサブマスタ装置４００とスレーブ装置２００との間の通信を接続することができる。このような通信部４１０は、例えば、有線通信モジュール（例えば、端子、コネクタモジュール）及び無線通信モジュール（例えば、ＲＦ送信／受信機、ジグビー、ブルートゥース、ＷＩＦＩモジュールなど）の中の少なくとも一つを含むことができる。
【０１３４】
多様な実施形態によれば、通信部４１０はアンテナモジュール４１５を含むことができる。このようなアンテナモジュール４１５は少なくとも一つのアンテナを含むことができ、供給される電流または電圧の強度に比例して電波強度を調節することができる構成でありえる。たとえば、マスタ装置１００から電波強度値が受信される場合、サブマスタ装置４００の通信部４１０またはアンテナモジュール４１５は、制御部４２０または発光制御部４４０の制御下に出力される電波強度を調節することにより、スレーブ装置２００を制御することができる制御半径を設定及び変更することができる。
【０１３５】
制御部４２０は、サブマスタ装置４００の電源供給制御などの全般的な動作及びサブマスタ装置４００の内部構成との間の信号の流れを制御し、データを処理するデータ処理機能を行うことができる。このような制御部４２０は少なくとも一つのプロセッサを含むことができる。
【０１３６】
保存部４３０は、制御部４２０、サブマスタ装置４００または発光制御システム１０の他の構成要素から受信及び生成されたデータを保存することができる。保存部１３０は、例えば、メモリ（ｍｅｍｏｒｙ）、キャッシュ（ｃａｓｈ）、バッファ（ｂｕｆｆｅｒ）などを含むことができる。
【０１３７】
多様な実施形態によれば、保存部４３０はマスタ装置１００から受信した電波強度値及び発光パターン値のような発光制御信号を保存することができる。また、保存部４３０は、マスタ装置１００で放送される発光制御信号を選択的に受信するために、前記サブマスタ装置４００に当たるＩＤ情報を保存することができる。
【０１３８】
発光制御部４４０は、マスタ装置１００から受信される発光制御信号に基づいてアンテナモジュール４１５の電波強度を調節して、前記電波強度の調節に応じて設定される制御半径内のスレーブ装置２００の発光パターンを制御することができる。このような発光制御部４４０の具体的な動作は後述する図面で後述する。
【０１３９】
図１３は、本発明の多様な実施形態に係るマスタ装置１００でサブマスタ装置４００の電波強度を調節することにより、スレーブ装置２００の発光を制御する動作を示すフローチャートである。
【０１４０】
先に、Ｓ１３１０段階で、マスタ装置１００は、観客のチケットに印刷された電子コードをスキャンして、電子コード情報を認識することができる。たとえば、マスタ装置１００のユーザ（管理者）は、光学スキャナのような電子コード認識部１２０を利用して、チケットの印刷された電子コードをスキャンすることにより、電子コード情報を抽出することができる。
【０１４１】
次に、Ｓ１３３０段階で、マスタ装置１００は電子コード情報に応じた発光位置情報を確認することができる。たとえば、マスタ装置１００は保存部１３０またはサーバ３００で電子コード情報にマッピングされる発光位置情報を確認することができる。
【０１４２】
次に、Ｓ１３５０段階で、マスタ装置１００は確認された発光位置情報をスレーブ装置２００に提供（例えば、挿入）することができる。たとえば、マスタ装置１００の管理者は、前記電子コード情報の確認及び発光位置情報の提供過程を経た後、当該のチケットを取得した観客に前記発光位置情報が挿入されたスレーブ装置２００を提供することができる。そして、観客はチケットの座席情報により、会場で指定された座席を確認して、当該の座席に着席したり位置したりできる。
【０１４３】
次に、Ｓ１３７０段階で、マスタ装置１００はサブマスタ装置４００の電波強度を調節して、スレーブ装置２００の発光パターンを制御することができる。この場合、一つ以上のサブマスタ装置４００は会場または競技場などの所定の間隔で固定されて位置することができる。そして、一つ以上のスレーブ装置２００はサブマスタ装置４００に隣接する座席でユーザによって所持することができ、前記ユーザの動きに応じて移動することもできる。
【０１４４】
マスタ装置１００は、発光制御信号（例えば、第１の発光制御信号）を放送することができる。たとえば、マスタ装置１００は、公演の特定のシナリオ、またはリアルタイムの制御に応じた発光制御信号を複数のサブマスタ装置４００に送出することができる。この場合、マスタ装置１００は、同一の発光制御信号を継続的にまたは周期的に不特定のサブマスタ装置４００に放送したり送出したりできる。
【０１４５】
図１４は、本発明の多様な実施形態に係る発光制御システム１０での動作を示す例示図である。
【０１４６】
図１４に示すように、マスタ装置１００は、第１のサブマスタ装置Ｓ．Ｍ１及び第２のサブマスタ装置Ｓ．Ｍ２に、各サブマスタ装置のＩＤ情報に応じてマッピングされた発光制御信号を放送することができる。この場合、発光制御信号は、第１のサブマスタ装置Ｓ．Ｍ１が第１の制御半径Ｃ１が設定されるようにする第１の電波強度値及び前記第１の制御半径Ｃ１内に位置する第１のスレーブ装置Ｓ１、第２のスレーブ装置Ｓ２及び第３のスレーブ装置Ｓ３が赤色で発光するようにする第１の発光パターン値を含むことができる。
【０１４７】
また、発光制御信号は、第２のサブマスタ装置Ｓ．Ｍ２が第２の制御半径Ｃ２が設定されるようにする第２の電波強度値及び前記第２の制御半径Ｃ２内に位置する第４のスレーブ装置Ｓ４及び第５のスレーブ装置Ｓ５が青色で発光するようにする第２の発光パターン値を含むことができる。この場合、第６のスレーブ装置Ｓ６の位置は、第１の制御半径Ｃ１及び第２の制御半径Ｃ２の中のどちらにも属しないので、既存の発光状態（ＯＦＦ）を保持する。
【０１４８】
多様な実施形態によれば、マスタ装置１００は、任意の時点またはあらかじめ定められた周期で第１の制御半径Ｃ１と第２の制御半径Ｃ２が変更されるように制御する発光制御信号を放送することができる。例えば、図示されていないが、マスタ装置１００が第２の制御半径Ｃ２がさらに大きくなるようにする発光制御信号を放送して、そうすることによって、第６のスレーブ装置Ｓ６が変更された第２の制御半径Ｃ２内に位置すると、第６のスレーブ装置Ｓ６は青色に発光することができる。
【０１４９】
図１５は、本発明の多様な実施形態に係る発光制御システム１０でスレーブ装置２００の移動に応じた発光パターンの変化を示す例示図であり、図１６は本発明の多様な実施形態に係る発光制御システム１０でスレーブ装置２００が複数の制御半径内に位置する場合、発光パターンの変化を示す例示図である。図１５及び図１６の例では、スレーブ装置２００がユーザにより位置が変動されることができる状況を考慮した実施形態である。説明の便宜のために、図１５及び図１６の内容の中、図１４の内容と重複する内容は省略する。
【０１５０】
図１５を参照すると、第１の制御半径Ｃ１内に位置する第２のスレーブ装置Ｓ２が第２の制御半径Ｃ２内へ移動する場合、第２のスレーブ装置Ｓ２は既存の第１のサブマスタ装置Ｓ．Ｍ１の制御から外れ、第２のサブマスタ装置Ｓ．Ｍ２の制御下に駆動される。したがって、第２のスレーブ装置Ｓ２は既存の発光形態である赤色から青色に変更されて発光する。
【０１５１】
また、図１６を参照すると、第２のスレーブ装置Ｓ２のユーザの移動に応じて第２のスレーブ装置Ｓ２が第１の制御半径Ｃ１と第２の制御半径Ｃ２内とも位置する場合が発生することができる。そうすると、第２のスレーブ装置Ｓ２は第１の発光パターン値と第２の発光パターン値の平均値で発光することができる。
【０１５２】
例えば、第２のスレーブ装置Ｓ２の発光部３２０が深さ方向に複数のＬＥＤが積層されている形態である場合、第１の発光パターン値及び第２の発光パターン値に基づいて、一部のＬＥＤは青色に発光され、一部のＬＥＤは赤色に発光することができる。この場合、前記第２のスレーブ装置Ｓ２を上部から見たとき紫色に認識されることができる。ただし、このような特定の形態を限定するものではなく、第２のスレーブ装置Ｓ２は、発光部３２０の構成形態またはあらかじめ設定された発光ポリシーに応じて、第１の発光パターン値及び第２の発光パターン値に基づいて多様な形態に発光することができる。
【０１５３】
前記のような実施形態により、本発明の多様な実施形態に係る発光制御システム１０は、サブマスタ装置４００の間に有機的にスレーブ装置２００を制御することにより、動きを有するスレーブ装置２００を効果的に制御することができる。
【０１５４】
図１７は、本発明の多様な実施形態に係る発光制御システム１０で、マスタ装置１００とそれぞれのサブマスタ装置ら４００が有線で接続された形態を示す例示図である。図１７の例では、ブロックのような障害物などがマスタ装置１００とサブマスタ装置４００との間に位置する場合、発光制御信号がサブマスタ装置４００に伝達されない現象を防止するための実施形態である。
【０１５５】
図示されるように、マスタ装置１００は第１のサブマスタ装置Ｓ．Ｍ１及び第２のサブマスタ装置Ｓ．Ｍ２と有線ケーブル１７００によって接続することができる。そして、マスタ装置１００は有線で発光制御信号を各サブマスタ装置Ｓ．Ｍ１、Ｓ．Ｍ２に送信することができる。これにより、マスタ装置１００は、ブロックに囲まれた第２のサブマスタ装置Ｓ．Ｍ２にも発光制御信号を安定的に送信することができる。
【０１５６】
図１８は、本発明の多様な実施形態に係る発光制御システム１０の運用に応じた演出画面を示す例示図である。
【０１５７】
図１８を参照すると、複数のスレーブ装置２００＿１乃至２００＿Ｎ、前記複数のスレーブ装置２００＿１乃至２００＿Ｎを制御する一つ以上のサブマスタ装置４００及び前記サブマスタ装置４００に発光制御信号を送信するマスタ装置１００が位置した観客席１８００が示されている。これらの観客席１８００には、Ａ０からＪ９までのグループで区別されてあり、一つのグループ（例えば、Ａ０）にはそれぞれの座席に位置する観客のスレーブ装置ら（例えば、Ｓ１乃至Ｓ８）及び前記スレーブ装置ら（例えば：Ｓ１乃至Ｓ８）の発光を制御するサブマスタ装置（例えば、Ｓ．Ｍ）が含まれることができる。説明の便宜のために、前記Ａ０グループでは、スレーブ装置（例えば、Ｓ１乃至Ｓ８）及びサブマスタ装置（例えば、Ｓ．Ｍ）が一定の位置に配列されたもので示されるが、これに限らず、図１４乃至図１７の形態のように配置することもできる。
【０１５８】
公演開始後、または公演中に、マスタ装置１００はサブマスタ装置４００に発光制御信号１８０１を放送することができる。このような発光制御信号１８０１は、各サブマスタ装置４００の電波強度を調節することにより発生される各制御半径で、前記制御半径に属するスレーブ装置２００の発光パターンを制御する信号でありえる。例えば、示されるように、複数のスレーブ装置によって全体的に「２」という数字が出力されるように演出することができる。このような演出画面は、前述したように、サブマスタ装置Ｓ．Ｍの電波強度を調節することによって示すことができるが、マスタ装置１００が直接スレーブ装置２００を制御して演出することもできる。たとえば、マスタ装置１００は、サブマスタ装置Ｓ．Ｍを介しなくて、スレーブ装置２００の発光位置情報、及び発光位置情報に当たる演出情報、または発光パターン値を放送することにより、直接スレーブ装置２００の発光を制御することもできる。この場合、スレーブ装置２００は、マスタ装置１００で放送される情報の中、自分の発光位置情報に対応する情報を選択的に受信することにより、発光部２２０を制御することができる。
【０１５９】
前述した図１１乃至図１８の実施形態により、複数のスレーブ装置２００を効率的にグループ化して制御することができ、リアルタイムで動きを有するスレーブ装置２００を効果的に制御することができる効果がある。
【０１６０】
本発明の多様な実施形態で使用される用語「モジュール」または「〜部」は、例えば、ハードウェア、ソフトウェア、またはファームウェア（ｆｉｒｍｗａｒｅ）の中の一つ、または二つ以上の組み合わせを含む単位（ｕｎｉｔ）を意味することができる。「モジュール」または「〜部」は、例えば、ユニット（ｕｎｉｔ）、ロジック（ｌｏｇｉｃ）、論理ブロック（ｌｏｇｉｃａｌ  ｂｌｏｃｋ）、部品（ｃｏｍｐｏｎｅｎｔ）または回路（ｃｉｒｃｕｉｔ）などの用語と切り替えて使用（ｉｎｔｅｒｃｈａｎｇｅａｂｌｙ  ｕｓｅ）されることができる。「モジュール」または「〜部」は、一体に構成された部品の最小単位またはその一部になることができ、一つまたはそれ以上の機能を行う最小単位またはその一部になることもできる。「モジュール」または「〜部」は機械的にまたは電子的に具現することができる。
【０１６１】
本発明の多様な実施形態に係るモジュールまたはプログラミングモジュールは、前述した構成要素の中の少なくとも一つを含んだり、一部が省略されたり、または追加の他の構成要素を含んだりできる。本発明の多様な実施形態に係るモジュール、プログラミングモジュールまたは他の構成要素によって行われる動作は、順次的、並列的、反復的またはヒューリスティック（ｈｅｕｒｉｓｔｉｃ）な方法で行われることができる。また、一部の動作は他の順序で行われたり、省略されたり、または他の動作が追加されたりできる。
【符号の説明】
【０１６２】
１０：発光制御システム
１００：マスタ装置
２００：スレーブ装置
３００：サーバ
４００：サブマスタ装置
【図１】
2017157549.tif 000003
【図２】
2017157549.tif 000004
【図３】
2017157549.tif 000005
【図４】
2017157549.tif 000006
【図５】
2017157549.tif 000007
【図６】
2017157549.tif 000008
【図７】
2017157549.tif 000009
【図８】
2017157549.tif 000010
【図９】
2017157549.tif 000011
【図１０】
2017157549.tif 000012
【図１１】
2017157549.tif 000013
【図１２】
2017157549.tif 000014
【図１３】
2017157549.tif 000015
【図１４】
2017157549.tif 000016
【図１５】
2017157549.tif 000017
【図１６】
2017157549.tif 000018
【図１７】
2017157549.tif 000019
【図１８】
2017157549.tif 000020